(57)【特許請求の範囲】
【請求項１】
再生可能な貴金属である固相を用いて不均一系免疫化学反応を行う方法において、第一の特異的結合パートナーを可逆的様式で固相に直接結合させ、反応の完結後、固相は、試剤を用いて固相から第一の特異的結合パートナーを除去することによって再生される方法。
【請求項２】
金が固相として用いられる請求項１に記載の方法。
【請求項３】
固相は貴金属でコートされた支持体である請求項２に記載の方法。
【請求項４】
第一の特異的結合パートナーは免疫グロブリンである請求項１〜３の少なくとも一項に記載の方法。
【請求項５】
試剤は還元剤を含有する請求項１に記載の方法。
【請求項６】
試剤は酸化剤を含有する請求項１に記載の方法。
【請求項７】
試剤はＮａＢＨ4を含有する請求項１に記載の方法。
【請求項８】
試剤は水酸化テトラブチルアンモニウムを含有する請求項１に記載の方法。
【請求項９】
固相はチューブの形態で用いられる請求項１〜８の一項に記載の方法。
【請求項１０】
以下の工程、すなわち、ａ）固相を第一の特異的結合パートナーでコ−トする工程、ｂ）コートされた固相中でサンプルをインキュベートする工程、ｃ）標識された第二の特異的結合パートナーを、存在する固定化された被検物質と反応させる工程、ｄ）被検物質に相当する物理的または化学的な量を測定する工程、ｅ）請求項１または５〜８の一項に記載の方法により固相表面を再生する工程、からなる請求項１〜９の一項に記載の方法。
【請求項１１】
貴金属で作成された再生可能な固相の請求項１に記載の方法における使用。
【発明の詳細な説明】
【０００１】
【発明の属する技術分野】
本発明は免疫化学反応を行う方法、およびとくにこの目的に使用することができる再生可能な固相に関する
【０００２】
【従来の技術】
免疫化学的検出方法はインビトロ診断において極めて重要になっている。この理由は、それらが高度に特異的でまた極めて高感度であることによる。しかも、これらの方法の実行が容易である。
【０００３】
この検出方法は、検出すべき被検物質とその１種または２種以上の結合パートナーとの間の免疫学的相互作用に基づくものである。
【０００４】
免疫学的反応は一般に２種類、すなわち均一法と不均一法に分類される。これらの２種類の方法は、不均一法では一つの反応パートナーが過剰に供給され、この過剰分は反応生成物から分離されなければならない点で互いに相違する。均一系アッセイとして知られている方法では、遊離および結合標識のシグナルが互いに相違するので、このような分離は必要はない。
【０００５】
免疫化学的方法、およびそれらの様々な実施態様は、本技術分野の熟練者には原理的には知られている。
【０００６】
タンパク質診断に共通して用いられる方法、すなわち、結合体と遊離体の分離を行うためには、一方の反応パートナーが固相に吸着的または共有結合的に結合される。酵素連結免疫吸着アッセイ（ＥＬＩＳＡ）として知られるこの技術は抗原または抗体を検出するために様々な変法で用いられている。
【０００７】
この検出技術が知られて以来、反応の最後に、固相をそれに結合した特異的結合パートナーとともに、たとえば反応時に形成される抗原／抗体複合体を解離させることによって再生するという観点から多くの実験が行われてきた。
【０００８】
しかしながら、このような場合の解離を誘発するのに適当な試剤、たとえば、希塩酸もしくは硫酸、酢酸もしくはプロピオン酸のような有機酸、尿素の濃厚溶液、およびＫＩもしくはＫＳＣＮのようなカオトロピック試剤は変性を起こすことも知られている。その他の欠点は、これらの試剤が抗原／抗体複合体を完全に解離させることは稀で、しかもこの解離が達成されるには再使用を考えている限りでは受入れ難い長時間を要することである。
【０００９】
かなりの進歩にもかかわらず、固相に結合している特異的結合パートナーを再生するためのこれまで知られている方法には、固相の結合特性が各再生工程において程度は不明であるが変化してしまうという欠点があり、その結果これらの方法は商業的に使用するにはほど遠いものであった。
【００１０】
【発明が解決しようとする課題】
したがって、本発明は、免疫学的検出方法において、固相が特異的結合パートナーを固定化するために繰り返し再現性よく使用できる方法を利用可能にするという技術的問題に基づくものである。
【００１１】
【課題を解決するための手段】
この技術的問題は特許請求の範囲に特徴づけられる実施態様の提供によって解決される。
【００１２】
驚くべきことに、貴金属好ましくは金を固相として用い、さらにある種の還元剤または酸化剤、たとえば水素化ホウ素ナトリウムおよび水酸化テトラブチルアンモニウムを、界面活性剤を添加してまたは添加しないで用いた場合、固相は再生後繰り返し使用できることが観察されたのである。
【００１３】
【発明の実施の形態】
この新規な方法では、第一の特異的結合パートナーは貴金属の表面に固定化される。コートした表面を洗浄したのち、被検物質は固定化された特異的結合パートナーと相互作用させ、ついで必要に応じて再び洗浄を行う。次の工程では、固定化された被検物質は、標識された第二の特異的結合パートナーと反応させる。この時点で、必要に応じてさらに洗浄工程を行ったのち、直接またはさらに付加的反応を用いて、被検物質に相当する物理的または化学的な量を測定することが可能になる。次の再生工程においては、上述の試剤の一つを用いて貴金属表面から接着した分子を除去すると、この表面はもう一度第一の特異的結合パートナーでコートするために使用可能となる。
【００１４】
この発明はとくに、それ自体は本技術分野の熟練者に知られている、診断に用いられる装置に、組み込むのに適している。本発明の主題のそれらの実施態様はまた、測定シグナルを通過させる貴金属相を同様に測定シグナルを通過させる裏打ち相に貼りつけると、裏打ち相と貴金属相を結合させた場合にも、シグナルを９０％好ましくは５０％とくに好ましくは２０％の量まで減弱させることが可能な点で有利である。
【００１５】
この新規な方法の本質的な利点は、各実験ごとに新しい固相が必要である従来技術と異なり、固相を所望の回数だけ使用できることである。現在の技術に比べてこの新規な方法では不要生成物の形成ははるかに少ない。この新規な方法は、使用者がいわゆるランダム過剰原理に従って進行させることを可能にする。すなわち、この新規な方法によれば、固相を変える必要がなく、次から次へと別の第一の特異的結合パートナーを使って実験を行うことが可能になる。
【００１６】
【実施例】
以下の実施例は本発明を例示するものである。
【００１７】
例１
化学ルミネッセンス標識抗体を用いるサンドイッチ原理によるヒトＩｇＥの定量的測定
試験の操作および再生は＋３７℃の温度で行われた。
【００１８】
支持体：
精錬された純度９９.９９％の金製チューブ、Degussaから入手した。
外径：１.５mm
内径：０.７mm
長さ：２００mm
【００１９】
コーティング：
（マウス）抗−ヒトＩｇＥモノクローナル抗体（Ｍａｂ）の溶液７７μlをチューブ内に吸引した。Ｍａｂの濃度は５０μl／mlとした。この溶液にはまた、７５mMのリン酸ナトリウム、７５mMのＮａＣｌ、および１００ｇ／リットルのＮａ2ＳＯ4を含有した。pHは６.０とした。Ｍａｂ溶液はチューブ中に５分間放置した。
【００２０】
洗浄工程：
チューブはついで１mlの洗浄緩衝液、すなわち５０mMのトリス（ヒドロキシメチル）アミノメタン（ＴＲＩＳ）および５０mMのクエン酸、pH７.４の組成の溶液で濯いだ。濯ぎは１分間続けた。
【００２１】
サンプルのインキュベーション：
特定量のＩｇＥを含むヒト血清７７μlをチューブ内に吸引し、その内部に１０分間放置した。
【００２２】
洗浄工程：
チューブをついで洗浄緩衝液［５mMのリン酸ナトリウム、８５mMのＮａＣｌ、１ｇ／リットルのTween 20（登録商標）、０.５ｇ／リットルのフェノール、pH６.５］１mlで１分間濯いだ。
【００２３】
複合体の反応：
（ウサギ）抗−ヒトＩｇＥポリクローナル抗体（Ｍａｂ）のアクリジニウムエステルとの複合体（EP-A 0330 050の実施例８と同様にして調製）の溶液７７μlをチューブ内に吸引し、その内部に５分間放置した。複合体の濃度は１９０ng／mlとし、この溶液にはまた０.１Ｍのリン酸ナトリウム、０.１５ＭのＮａＣｌ、１ｇ／リットルのｈ−血清アルブミン、および１.５ｇ／リットルのTego-Betaine L7（登録商標）を添加し、pHは６.０とした。
【００２４】
洗浄工程：
チューブはついで、１mlの７５mMのリン酸ナトリウムおよび７５mM ＮａＣｌ、pH７.２の溶液で１分間濯いだ。
【００２５】
結合したトレーサーの分裂：
トレーサー（アクリジニウムエステル）を０.１Ｍ ＨＮＯ3および５ｇ／リットルのＨ2Ｏ2の組成の溶液７７μlを用い１分間インキュベートして分裂（split off）させた。
【００２６】
測定：
分裂させたトレーサーを含むチューブ内容物をBerthold製のAutoclinilumatルミノメーターの測定キューベットに移し、３００μlの０.２５Ｍ ＮａＯＨを加えてルミネッセンス反応を誘発した。
【００２７】
固相の再生：
再生は、１０ｇ／リットルのＮａＢＨ4を含み、好ましくはpH７.０〜１０.０の間に緩衝化した（たとえばＣＨＥＳ）溶液７７μlを１分間反応させ、ついで７５mMのリン酸ナトリウムおよび７５mM ＮａＣｌを含み、pH７.２とした溶液１mlで１分間濯ぐことにより達成される。
【００２８】
上述の方法を用いて試験され、様々な濃度のＩｇＥを含んだ４種のサンプルは図１に示すシグナル対ＩｇＥ濃度の比を生じた。この場合の比は国際単位で与える。
【００２９】
例２
ＰＯＤの定量的測定
試験操作および再生は＋３７℃の温度で実施した。
【００３０】
支持体：
精錬された純度９９.９９％の金で作成したチューブは、Degussaより入手した。
外径：１.５mm
内径：０.７mm
長さ：２００mm
【００３１】
コーティング：
（マウス）抗−ＰＯＤモノクローナル抗体のＰＢＳ（pH７.２）中溶液７７μlをチューブ内に吸引した。１０分間のインキュベーションののち、毛細管を５０ミリモルのトリス−クエン酸緩衝溶液（pH７.４）２mlで洗浄した。
【００３２】
免疫反応：
ＩｇＥインキュベーション培地（Behringwerke AG，Marburg、製品番号OSND、５０ミリモルのリン酸塩、１５０ミリモルのＮａＣｌ、５ミリモルの Titriplex III、０.１％ＲＳＡ、０.０１％Ｒ−ＩｇＧ、１０％グリセロ−ル、２％Tween 20、２ミリモルのフェノール、pH６.８）中ペルオキシダーゼの溶液７７μlを金製の毛細管中に吸引した。１０分間のインキュベーションののちに、毛細管を２mlのＰＯＤ洗浄液（Behringwerke AG，Marburg、製品番号OSEW、５ミリモルのリン酸塩、８５ミリモルのＮａＣｌ、０.１％Tween 20、０.００５％のフェノール、pH６.５）で洗浄した。
【００３３】
基質反応：
ＰＯＤ緩衝液（Behringwerke AG，Marburg、製品番号OWEZ）に溶解したＰＯＤ発色原（Behringwerke AG，Marburg、製品番号OWEY）７７μlを、チューブ中に吸引した。５分間インキュベートしたのち、毛細管中に含まれる溶液５０μlを採取した。
【００３４】
停止：
ＰＯＤ停止溶液（Behringwerke AG，Marburg、製品番号OSFA）５０μlを毛細管から取り出した５０μlの溶液に添加した。
【００３５】
検出：
得られた溶液の吸光度の測定は４９２nmで光度計によって行った。
【００３６】
固相の再生：
金製の毛細管を２０重量％の水酸化テトラブチルアンモニウム溶液５mlで洗浄した。ついで毛細管をリン酸緩衝食塩溶液（pH７.２）１mlで濯いだ。
【図面の簡単な説明】
【図１】ＩｇＥ濃度の異なる４種のサンプルの化学ルミネセンスを示す。
【図１】
0003718267.tif 000002